【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
対象エリア（１０４）（ＡＯＩ）内の徘徊イベントを検出するための方法であって、
監視シーン（１０２）内の検出された第１の対象物（１０６ａ）に対応する第１の対象物データ（４１０ａ）を受信するステップ（Ｓ５０８）であって、前記第１の対象物データは、第１のＩＤ、第１の位置データおよび第１のタイムスタンプを含む、ステップと、
前記第１の位置データが前記ＡＯＩと重なり合うと判断するステップ（Ｓ５１４）と、
前記監視シーン内の検出された第１の対象物に対応する第２の対象物データ（４１０ｂ）を受信するステップ（Ｓ５０８）であって、前記第２の対象物データは、前記第１のＩＤ、第２の位置データおよび第２のタイムスタンプを含む、ステップと、
前記第２の位置データが前記ＡＯＩと重なり合うと判断するステップ（Ｓ５１４）と、
前記第２のタイムスタンプと前記第１のタイムスタンプとの間の時間差を集約期間（２０２）に追加するステップ（Ｓ５１８）と、
前記監視シーン内の検出された第２の対象物（１０６ｂ）に対応する第３の対象物データ（４１０ｅ）を受信するステップ（Ｓ５０８）であって、前記第３の対象物データは、前記第１のＩＤと異なる第２のＩＤ、第３の位置データおよび第３のタイムスタンプを含み、前記第３のタイムスタンプは、前記第２のタイムスタンプよりも後である、ステップと、
前記第３の位置データが前記ＡＯＩと重なり合うと判断するステップ（Ｓ５１４）と、
前記監視シーン内の前記検出された第２の対象物に対応する第４の対象物データ（４１０ｆ）を受信するステップ（Ｓ５０８）であって、前記第４の対象物データは、前記第２のＩＤ、第４の位置データおよび第４のタイムスタンプを含む、ステップと、
前記第４の位置データが前記ＡＯＩと重なり合うと判断するステップ（Ｓ５１４）と、
前記第４のタイムスタンプと前記第３のタイムスタンプとの間の時間差を集約期間（２０２）に追加するステップ（Ｓ５１８）と、
前記集約期間が第１の閾値期間を超えているとき、徘徊イベント（４１４）を検出するステップ（Ｓ５２０）と、
を含む、方法。
【請求項２】
前記第３のタイムスタンプと前記第２のタイムスタンプとの間の時間差が第２の時間閾値を超えている場合（Ｓ５０２）、
前記第４のタイムスタンプと前記第３のタイムスタンプとの間の時間差を前記集約期間に追加する前記ステップの前に、前記集約期間をゼロにセットするステップ（Ｓ５０４）をさらに含む、請求項１に記載の方法。
【請求項３】
前記ＡＯＩと重なり合う位置データを有する各受信された対象物データ間の時間を測定するステップをさらに含み、前記集約期間をゼロにセットする前記ステップは、前記時間が前記第２の時間閾値を超えているときに実行される、請求項２に記載の方法。
【請求項４】
徘徊イベントが検出されたとき、前記ＡＯＩと重なり合う位置データを有する、後続して受信された２つの対象物データ間の時間が前記第２の時間閾値を超えるまで、徘徊イベントの検出を継続するステップをさらに含む、請求項３に記載の方法。
【請求項５】
前記監視シーン内の前記検出された第２の対象物に対応する第５の対象物データを受信するステップ（Ｓ５０８）であって、前記第５の対象物データは、前記第２のＩＤ、第５の位置データおよび第５のタイムスタンプを含む、ステップと、
前記第５の位置データが前記ＡＯＩと重なり合うと判断するステップ（Ｓ５１４）と、
前記第５のタイムスタンプと前記第４のタイムスタンプとの間の時間差を前記集約期間に追加するステップ（Ｓ５１８）と、
をさらに含む、請求項１から４のいずれか一項に記載の方法。
【請求項６】
前記第４の位置データが除外エリアとさらに重なり合うと判断するステップ（Ｓ５１６）をさらに含み、これによって、前記第４のタイムスタンプと前記第３のタイムスタンプとの間の前記時間差を前記集約期間に追加するステップは実行されない、請求項１から４のいずれか一項に記載の方法。
【請求項７】
前記監視シーン内の前記検出された第２の対象物に対応する第５の対象物データを受信するステップ（Ｓ５０８）であって、前記第５の対象物データは、前記第２のＩＤ、第５の位置データおよび第５のタイムスタンプを含む、ステップと、
前記第５の位置データが前記ＡＯＩと重なり合い（Ｓ５１４）、前記除外エリアとは重なり合わない（Ｓ５１６）と判断するステップと、
前記第５のタイムスタンプと前記第４のタイムスタンプとの間の時間差を前記集約期間に追加するステップ（Ｓ５１８）と、
をさらに含む、請求項６に記載の方法。
【請求項８】
受信された対象物データは、検出された対象物のサイズに対応するサイズデータをさらに含み、前記方法は、
前記第３の対象物データおよび前記第４の対象物データのサイズデータを閾値サイズと比較するステップ（Ｓ５１２）をさらに含み、前記第４のタイムスタンプと前記第３のタイムスタンプとの間の時間差を前記集約期間に追加するステップは、それぞれのサイズデータが前記閾値サイズを超えている場合にのみ実行される、請求項１から７のいずれか一項に記載の方法。
【請求項９】
受信された対象物データは、検出された対象物のタイプに対応する対象物タイプデータをさらに含み、前記方法は、
前記第３の対象物データおよび前記第４の対象物データの対象物タイプデータを所定の対象物タイプと比較するステップ（Ｓ５１２）をさらに含み、前記第４のタイムスタンプと前記第３のタイムスタンプとの間の時間差を前記集約期間に追加するステップは、それぞれの対象物タイプデータが前記所定の対象物タイプに等しい場合にのみ実行される、請求項１から７のいずれか一項に記載の方法。
【請求項１０】
徘徊イベントを検出するように適合されたデバイス（４１２）であって、
監視シーン（１０２）内の検出された第１の対象物（１０６ａ）に対応する第１の対象物データ（４１０ａ）を受信し（Ｓ５０８）、前記第１の対象物データは、第１のＩＤ、第１の位置データおよび第１のタイムスタンプを含み、
前記第１の位置データが前記ＡＯＩと重なり合うと判断し（Ｓ５１４）、
監視シーン内の前記検出された第１の対象物に対応する第２の対象物データ（４１０ｂ）を受信し（Ｓ５０８）、前記第２の対象物データは、前記第１のＩＤ、第２の位置データおよび第２のタイムスタンプを含み、
前記第２の位置データが前記ＡＯＩと重なり合うと判断し（Ｓ５１４）、
前記第２のタイムスタンプと前記第１のタイムスタンプとの間の時間差を集約期間（２０２）に追加し（Ｓ５１８）、
前記監視シーン内の検出された第２の対象物（１０６ｂ）に対応する第３の対象物データ（４１０ｅ）を受信し（Ｓ５０８）、前記第３の対象物データは、前記第１のＩＤと異なる第２のＩＤ、第３の位置データおよび第３のタイムスタンプを含み、前記第３のタイムスタンプは、前記第２のタイムスタンプよりも後であり、
前記第３の位置データが前記ＡＯＩと重なり合うと判断し（Ｓ５１４）、
前記監視シーン内の前記検出された第２の対象物に対応する第４の対象物データ（４１０ｆ）を受信し（Ｓ５０８）、前記第４の対象物データは、前記第２のＩＤ、第４の位置データおよび第４のタイムスタンプを含み、
前記第４の位置データが前記ＡＯＩと重なり合うと判断し（Ｓ５１４）、
前記第４のタイムスタンプと前記第３のタイムスタンプとの間の時間差を集約期間（２０２）に追加し（Ｓ５１８）、
前記集約期間が第１の閾値期間を超えているとき、徘徊イベント（４１４）を検出する（Ｓ５２０）、
ように適合されたプロセッサを備える、デバイス。
【請求項１１】
シーン（１０２）のデータ（４０６）を連続的に取り込むための第１のデバイス（４０４）と、
前記第１のデバイスから前記取り込まれたデータ（４０６）を受信し、前記取り込まれたデータにおける対象物を検出および追跡するように適合された第２のデバイス（４０４）であって、前記取り込まれたデータにおける検出および追跡された対象物に対応する対象物データ（４１０）を抽出し、前記抽出された対象物データの対応するタイムスタンプを抽出するようにさらに適合され、各対象物データは、検出および追跡された対象物に関連付けられ、前記関連付けられた対象物のＩＤ、前記関連付けられた対象物の位置データ、および前記タイムスタンプを含む、第２のデバイスと、
前記第２のデバイスから前記抽出された対象物データを受信するように適合された、請求項１０に記載の第３のデバイス（４１２）と、
を備える、システム。
【請求項１２】
前記第３のデバイスから検出された徘徊イベント（４１４）を受信し、オペレータに前記徘徊イベントに気づかせるための視覚および／または可聴信号（４１６）を生成するように適合された第４のデバイス（４１８）をさらに備える、請求項１１に記載のシステム。
【請求項１３】
前記第１のデバイスは、以下のリスト、すなわち、
ビデオ取込みデバイス、ＲＡＤＡＲデバイス、赤外線センサデバイス、マイクロフォンアレイ、サーマルカメラ、およびＴＯＦカメラ、
のうちの１つである、請求項１１または１２に記載のシステム。
【請求項１４】
前記第１のデバイス、前記第２のデバイスおよび前記第３のデバイスは、ビデオ取込みデバイスにおいて実施される、請求項１１から１３のいずれか一項に記載のシステム。
【請求項１５】
処理能力を有するデバイスによって実行されると、請求項１から９のいずれか一項に記載の方法を実行するように適合された命令を有する非一時的コンピュータ可読ストレージ媒体を備えるコンピュータプログラム製品。